(57)【特許請求の範囲】
【請求項１】
一面に開口を有する枠体と、前記枠体の内側に位置するように前記枠体に取り付けられる灯具部とを備えた照明装置において、
前記灯具部は、
光源部と、
前記光源部が設置され、長辺に対応する第１の端部及び第２の端部を含む長尺状の基板と、
前記基板が設置される設置面を含み、前記枠体に取り付けられている設置部と、
前記設置面のうち前記基板の前記第１の端部の位置に着脱自在に設けられ、前記基板の前記第１の端部を支持する着脱部材と
前記設置面から突出して形成され、前記基板の前記第２の端部が挿入されて前記第２の端部を支持するツメ部とを含み、
前記着脱部材は、
前記基板の前記第１の端部に平行な方向に等間隔に複数配置され、
前記基板は、
短辺に対応する第３の端部及び第４の端部を含む矩形状であり、
前記第１の端部のうち各着脱部材が設けられる部分に形成された複数の第１の切欠と、
前記第２の端部のうち各ツメ部が設けられる部分に形成された複数の第２の切欠を含み、
各第１の切欠と各第２の切欠とは対向位置に配置され、
最も前記第３の端部寄りの前記切欠と前記第３の端部までの長さと、
最も前記第４の端部寄りの前記切欠と前記第４の端部までの長さとが異なる
照明装置。
【請求項２】
前記ツメ部は、
一端が前記設置面に接続された切起部と、
前記切起部の他端に接続され、前記設置面に対して傾斜する傾斜部とを含み、
前記傾斜部は、
前記設置面との間の間隔が、前記切起部との接続側に向かうほど小さくなるように構成されている
請求項１に記載の照明装置。
【請求項３】
前記設置面には、
前記切起部の切り起こしにより形成された開口部を含み、
前記基板は、
前記開口部を塞ぐように配置されている
請求項２に記載の照明装置。
【発明の詳細な説明】
【技術分野】
【０００１】
本発明は、照明装置に関し、特に、照明装置の灯具部に設けられている光源部の着脱構造に関するものである。
【背景技術】
【０００２】
照明装置は、器具本体と、光源に対応するＬＥＤモジュール及びこのＬＥＤモジュールが設けられた基板を含む光源部（灯具部）とを備えているものが提案されている（例えば、特許文献１参照）。特許文献１に記載の照明装置の灯具部は、基板の端部に複数の固定部材（かしめ部）を配置することで、基板を固定する構造を採用している。
【先行技術文献】
【特許文献】
【０００３】
【特許文献１】特開２０１４−１１２４９０号公報
【発明の概要】
【発明が解決しようとする課題】
【０００４】
一般的には、照明装置の灯具部が長尺状である場合には、ＬＥＤモジュールが設けられた基板も長尺状に構成されている。基板の長辺端部に複数の固定部材を設けて基板を固定する場合には、基板が長尺状である分、必要となる固定部材の数も増大する。このため、基板を固定する際における作業負担が増大してしまうという課題がある。
【０００５】
本発明は、以上のような課題を解決するためになされたもので、灯具部に設けられた基板を固定する際における作業負担を低減することができる照明装置を提供することを目的としている。
【課題を解決するための手段】
【０００６】
本発明に係る照明装置は、一面に開口を有する枠体と、枠体の内側に位置するように枠体に取り付けられる灯具部とを備えた照明装置において、灯具部は、光源部と、光源部が設置され、長辺に対応する第１の端部及び第２の端部を含む長尺状の基板と、基板が設置される設置面を含み、枠体に取り付けられている設置部と、設置面のうち基板の第１の端部の位置に着脱自在に設けられ、基板の第１の端部を支持する着脱部材と設置面から突出して形成され、基板の第２の端部が挿入されて第２の端部を支持するツメ部とを含み、着脱部材は、基板の第１の端部に平行な方向に等間隔に複数配置され、基板は、短辺に対応する第３の端部及び第４の端部を含む矩形状であり、第１の端部のうち各着脱部材が設けられる部分に形成された複数の第１の切欠と、第２の端部のうち各ツメ部が設けられる部分に形成された複数の第２の切欠を含み、各第１の切欠と各第２の切欠とは対向位置に配置され、最も第３の端部寄りの切欠と第３の端部までの長さと、最も第４の端部寄りの切欠と第４の端部までの長さとが異なるものである。
【発明の効果】
【０００７】
本発明に係る照明装置によれば、上記構成を有しているため、灯具部に設けられた基板を固定する際における作業負担を低減することができる。すなわち、ツメ部については、かしめる作業等をせずに、基板を挿入するだけで基板を固定することができるので、その分、基板を固定する際における作業負担を低減することができる。
【図面の簡単な説明】
【０００８】
【図１】本発明の実施の形態に係る照明装置１００の斜視図である。
【図２】本発明の実施の形態に係る照明装置１００の器具本体２００及びフレーム２０２等の説明図である。
【図３】本発明の実施の形態に係る照明装置１００の備えた灯具部３００の説明図である。
【図４】図３に示す灯具部３００の端部の拡大図である。
【図５】本発明の実施の形態に係る照明装置１００の灯具部３００の端部の正面図である。
【図６Ａ】本発明の実施の形態に係る照明装置１００の設置部３０５に設置された基板３０４等の説明図である。
【図６Ｂ】本発明の実施の形態に係る照明装置１００の基板３０４を模式的に示した斜視図である。
【図７】本発明の実施の形態に係る照明装置１００の灯具部３００の端部の正面図である。
【図８】着脱部材３０４Ａ、ツメ部３０４Ｂ、設置部３０５及び基板３０４の縦断面図である。
【図９】本発明の実施の形態に係る照明装置１００の透光性カバー３０３を取付部材３に固定する構成等についての説明図である。
【図１０】図５に示す灯具部３００の第２の被支持部３２の取付基準位置から、第２の支持部２５２を外した状態の説明図である。
【図１１】図１０に示す灯具部３００の第１の被支持部３１の取付基準位置から、第１の支持部２５１を外した状態の説明図である。
【図１２】図１１に示す灯具部３００の第２の被支持部３２から第２の支持部２５２を外した状態の説明図である。
【図１３】図１２に示す灯具部３００の第１の被支持部３１から第１の支持部２５１を外す様子の説明図１である。
【図１４】図１３に示す灯具部３００の第１の被支持部３１から第１の支持部２５１を外す様子の説明図２である。
【発明を実施するための形態】
【０００９】
以下、本発明に係る照明装置１００の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態．
図１は、本実施の形態に係る照明装置１００の斜視図である。図２は、本実施の形態に係る照明装置１００の器具本体２００及びフレーム２０２等の説明図である。なお、図２では、ルーバー２３０を器具本体２００から取り外し、また、２つの灯具部３００のうちの一方を器具本体２００から取り外した状態について示している。図１及び図２に基づいて、照明装置１００について説明する。
本実施の形態に係る照明装置１００は、灯具部３００に設けられた基板３０４を固定する際における作業負担を低減することができる改良が加えられたものである。
【００１１】
なお、本実施の形態の説明において、「上側（上方）」は、Ｚ１方向に対応し、「下側（下方）」は、Ｚ２方向に対応している。また、「水平方向」は、Ｘ１方向、Ｘ２方向、Ｙ１方向及びＹ２方向に対応している。なお、Ｘ１方向とＸ２方向とは逆方向であり、Ｙ１方向及びＹ２方向とは逆方向である。また、Ｘ１方向及びＸ２方向と、Ｙ１方向及びＹ２方向とは直交する。また、Ｙ１方向及びＹ２方向は、灯具部３００の長手方向に平行であり、Ｘ１方向及びＸ２方向は、灯具部３００の短手方向に平行である。
なお、Ｘ１方向、Ｘ２方向、Ｙ１方向、Ｙ２方向、Ｚ１方向及びＺ２方向は、照明装置１００が天井に取り付けられている状態における方向を示している。照明装置１００は、壁等、天井以外の被取り付け部に取り付けられていてもよい。
【００１２】
＜照明装置１００の構成説明＞
照明装置１００は、固定具（図示せず）を介して例えば天井に取り付けられ、長尺に形成された灯具部３００が点灯することによって室内等に光が照射される。図１に示すように、照明装置１００には、器具本体２００と、器具本体２００に設けられ、灯具部３００に給電して灯具部３００を点灯させる点灯装置（図示省略）と、器具本体２００に設けられ、着脱自在の２つの灯具部３００とを備えている。
また、照明装置１００は、灯具部３００から照射される光を和らげる複数のルーバー２３０と、灯具部３００に給電するのに利用され、電源線が取り付けられる電源端子台２２０とを備えている。
なお、図１及び図２では省略しているが、照明装置１００は、２つの灯具部３００の間に介在するようにパネル（図示省略）が取り付けられ、電源端子台２２０等が室内等から見えないようになっている。
【００１３】
器具本体２００は、２つの枠体２０１を備え、例えば金属等で構成される。器具本体２００の枠体２０１は、矩形状の天面部２０１Ｃと、天面の端部より形成された２つの側面部２０１Ａを含む枠本体２０１Ｂとを含んでいる。枠体２０１には、枠本体２０１Ｂの側面部２０１Ａが形成されていない端部に設けられる２つのフレーム２０２が設けられている。フレーム２０２は、枠体２０１の一部を構成している。フレーム２０２の内側面ＳＡには、灯具部３００を支持する支持構造２５０が固定されている。天面部２０１Ｃには、通気穴２０１Ｄが形成されている。通気穴２０１Ｄが形成されていることで、枠体２０１内に暖まった空気がこもることを回避することができる。また、通気穴２０１Ｄの開口縁部のうちの長辺部分には、天面部２０１Ｃに直交するように形成された板状部材である壁部２０１Ｆが形成されている。点灯装置（図示省略）は、壁部２０１Ｆに付設されている。また、枠体２０１の天面部２０１Ｃには、点灯装置に接続される各種配線を隠す配線隠し２０１Ｅが設けられている。配線隠し２０１Ｅは、例えば、Ｘ１方向又はＸ２方向に延びるように形成され、上側と向かい合う側面が開放されたケース状部材である。
【００１４】
器具本体２００の枠体２０１は、２つの灯具部３００を収容している。枠体２０１の下面側には、矩形状の開口２０１Ｇが形成されている。より詳細には、枠体２０１は、枠本体２０１Ｂとフレーム２０２により一面が開口した箱形状に形成されているものである。枠体２０１のうち開口２０１Ｇの形成部分には、ルーバー２３０が取り付けられており、灯具部３００は、このルーバー２３０を介して室内等に臨む。
枠体２０１は、向かい合う一組の端部に側面部２０１Ａが設けられ、この一組の端部とは異なる向かい合う一組の端部にフレーム２０２が設けられている。ルーバー２３０は、側面部２０１Ａに引っ掛けられて設けられている。側面部２０１Ａとフレーム２０２とは直交するように配置されている。枠本体２０１Ｂの側面部２０１Ａ及び器具本体２００のフレーム２０２によって囲われる部分には、天面部２０１Ｃに対向する開口へ照射できるように灯具部３００が配置されている。
【００１５】
ルーバー２３０は、灯具部３００の下側に配置されている。ルーバー２３０は、灯具部３００の長手方向に直交するＸ１方向及びＸ２方向に平行に設けられ、灯具部３００の長手方向（Ｙ１方向及びＹ２方向）に並ぶように複数配置されている。例えば、照明装置１００が天井に取り付けられている場合には、ルーバー２３０は、水平方向に平行であって、灯具部３００の長手方向に直交するように配置されることになる。
また、フレーム２０２は、２つの枠体２０１を、２つの枠体２０１のそれぞれの側面部２０１Ａが対向するように連結する機構も有している。
【００１６】
灯具部３００は、着脱自在に枠体２０１の支持構造２５０に支持されている。灯具部３００を枠体２０１から取り外すと灯具部３００によって隠れていた構成が露出する。具体的には、灯具部３００を取り外すと、通気穴２０１Ｄ、壁部２０１Ｆ及び点灯装置（図示省略）等といった構成が露出する。例えば、照明装置１００の点灯装置のメンテナンスを実施する場合及び灯具部３００を交換する場合等には、灯具部３００を取り外す。灯具部３００の長手方向の両端部には、それぞれ取付部材３が設けられている。この取付部材３は、枠体２０１から着脱自在になっている。灯具部３００は、取付部材３によって枠体２０１に支持される。灯具部３００等の支持構造については後段で詳しく説明する。
【００１７】
なお、照明装置１００は図１に示した形態以外のものであってもよい。例えば、照明装置１００は、１つの灯具部３００を着脱自在に取り付けられるものであってもよい。また、照明装置１００には、ルーバー２３０が、取り付けられていなくてもよい。また、照明装置１００は、器具本体２００が枠体２０１を１つだけ備えるものであってもよい。また、照明装置１００は、天井以外に取り付けられるものであってもよい。
【００１８】
＜灯具部３００の構成説明＞
図３は、本実施の形態に係る照明装置１００の備えた灯具部３００の説明図である。図４は、図３に示す灯具部３００の端部の拡大図である。図５は、本実施の形態に係る照明装置１００の灯具部の端部の正面図である。図３〜図５を参照して灯具部３００について説明する。
灯具部３００は長尺状部材であり、端部が器具本体２００の支持構造２５０に支持（係止）される構造を備えている。
灯具部３００は、両方の端部にそれぞれ設けられた取付部材３と、曲げ形成された反射板３０２と、光を通過する透光性カバー３０３とを備えている。また、灯具部３００は、透光性カバー３０３の内側に配置され、光源モジュールを備えた基板３０４と、基板３０４が設置された設置部３０５（後段で説明する図７参照）とを備えている。なお、本実施の形態では、光源モジュールの光源としてＬＥＤを採用している場合について説明するが、それに限定されるものではない。例えば、光源として用いることができる素子であれば、ＬＥＤに限定されるものではなく、有機ＥＬ等であってもよい。また、灯具部３００の基板３０４の光源の光照射方向とは、矢印Ｚ２方向に対応している。
【００１９】
取付部材３は、例えば、金属製の板材で構成することができる。本実施の形態では、取付部材３が金属製の板材である場合を一例に説明するが、それに限定されるものではなく、樹脂等で構成することもできる。取付部材３の一方には、枠体２０１に設けられた第１の支持部２５１に回転自在に支持される第１の被支持部３１が形成され、取付部材３の他方には、枠体２０１に設けられた第２の支持部２５２に嵌まる第２の被支持部３２が形成されている。
なお、第１の被支持部３１及び第２の被支持部３２は、切欠に対応する構成である。第１の被支持部３１は、切欠としての第１の開放部３１Ａ、切欠としての第１の奥側部３１Ｂ及び第１の開放部３１Ａに形成された第１の凸部３１Ｃを含む。第２の被支持部３２は、切欠としての第２の開放部３２Ａ、切欠としての第２の奥側部３２Ｂ及び第２の奥側部３２Ｂに形成された第２の凸部３２Ｃを含む。第１の凸部３１Ｃ及び第２の凸部３２Ｃは、ストッパーとしての機能を有している。取付部材３には、第１の被支持部３１及び第２の被支持部３２が形成されているので、工具を用いずとも、灯具部３００を枠体２０１から着脱することができる。灯具部３００の着脱動作については、後段で説明する。
【００２０】
反射板３０２は、透光性カバー３０３を通過した光等を室内に反射させる反射部３０２Ａと、反射部３０２Ａの端部に曲げ形成された折曲部３０２Ｂと、透光性カバー３０３が配置される段部３０２Ｃとを含む。本実施の形態において、反射板３０２と設置部３０５とは一体的に形成されているものとして説明するが、それに限定されるものではなく、別体であってもよい。
反射部３０２Ａは、図３に示すように、灯具部３００が枠体２０１に取り付けられ、透光性カバー３０３が配置されている側（段部３０２Ｃ側）から折曲部３０２Ｂ側に向かうにしたがって下側に傾斜するように設けられている。反射部３０２Ａの下側には、ルーバー２３０が配置され、反射部３０２Ａの上側には、取付部材３、点灯装置（図示省略）及び点灯装置に接続される各種配線（図示省略）等が配置されている。
なお、１つの灯具部３００には、２つの反射部３０２Ａが設けられている。一方の反射部３０２Ａ及び他方の反射部３０２Ａの上側には、取付部材３が配置されている。この反射部３０２Ａが設けられていることにより、取付部材３、点灯装置及び各種配線が隠れるので、照明装置１００の意匠性を向上させることができるようになっている。
折曲部３０２Ｂは、反射部３０２Ａの端部が曲げられて形成された部分であり、反射部３０２Ａの端部からＺ１方向に延びるように形成されている。折曲部３０２Ｂが形成されていることにより、灯具部３００の上側に配置されている構成（点灯装置等）が見えにくくなり、照明装置１００の意匠性を向上させることができる。また、折曲部３０２Ｂが形成されていることにより、作業者が反射板３０２の端面で手指を傷付けてしまうことを回避することができる。また、折曲部３０２Ｂを形成することにより、反射部３０２Ａの長手方向のたわみを抑制することができる。
また、折曲部３０２Ｂは、Ｘ１方向側に位置するものと、Ｘ２方向側に位置するものがある。Ｘ２方向側に位置する折曲部３０２Ｂには、後述する操作部３５が設けられていることを作業者に知らせるマーク等を設けるとよい。これにより、灯具部３００を外す際の作業者の負担を抑制することができる。なお、マーク等としては、例えば、凹凸等を採用することができ、特に、限定されるものではない。
段部３０２Ｃは、反射板３０２におけるＸ１方向及びＸ２方向に平行な幅の中央側に形成されている。段部３０２Ｃは、一方が設置部３０５に接続され、他方が反射部３０２Ａに接続されている。段部３０２Ｃは、反射部３０２Ａが形成されている位置の方が、透光性カバー３０３が配置される設置部３０５が形成されている位置よりも下側に位置するように段状に形成されているものである。段部３０２Ｃには、透光性カバー３０３が端部側に形成された後述の平面部３０３Ｂに対向配置されている。
【００２１】
透光性カバー３０３は、反射板３０２と同様にＹ１方向及びＹ２方向に平行に延びるように形成された長尺状の部材である。透光性カバー３０３は、光を透過させることができれば材質は特に限定されるものではない。
透光性カバー３０３は、曲面状に形成された曲面部３０３Ａと、曲面部３０３Ａの長辺に対応する両端にそれぞれ形成された平面部３０３Ｂと、曲面部３０３Ａの短辺に対応する両端にそれぞれ形成された平面部３０３Ｃと、取付部材３に固定される固定部３０３Ｄと、固定部３０３Ｄと固定部材３０３Ｅとを固定する固定部材３０３Ｅとを含む。
曲面部３０３Ａは、基板３０４の光源から照射される光のムラを抑制する機能を有する。すなわち、曲面部３０３Ａの縦断面形状は、基板３０４の光源から曲面部３０３Ａまでの距離が同じとなるように、基板３０４の光源を中心とした円弧状になっている。基板３０４の光源としてＬＥＤが採用されている場合には、光の強度が特に高い角度範囲（配光角）に応じて曲面部３０３Ａの形状を設定するとよい。
平面部３０３Ｂは、段部３０２Ｃに対向配置されているものである。すなわち、透光性カバー３０３は、２つの段部３０２Ｃの間に収められた状態で、設置部３０５に設置される。
固定部３０３Ｄは、平面視形状が三角形状をしているものである。固定部３０３Ｄには、固定部材３０３Ｅが挿入される開口部が形成されており、固定部材３０３Ｅによって取付部材３に固定される。すなわち、透光性カバー３０３は、固定部３０３Ｄが固定部材３０３Ｅによって取付部材３に取り付けられている。ここで、透光性カバー３０３を固定する構成を平面部３０３Ｂに形成することもできる。例えば、平面部３０３Ｂに開口部を形成し、固定部材を段部３０２Ｃに締結したり、設置部３０５に締結したりするということである。しかし、この態様では、透光性カバー３０３の平面部３０３Ｂと設置部３０５との間に隙間ができやすく、透光性カバー３０３から光が漏れてしまいやすい構造となる。そこで、透光性カバー３０３は、長辺に対応する端部ではなく、短辺に対応する端部に固定部３０３Ｄを形成し、平面部３０３Ｂと設置部３０５との間に隙間が発生することを抑制し、透光性カバー３０３から光が漏れてしまうことを抑制しながら、透光性カバー３０３を固定することができるようになっている。
【００２２】
基板３０４は、例えば、ＬＥＤモジュール等が設けられているものであり、設置部３０５に固定されている。基板３０４も、透光性カバー３０３と同様に長尺状の部材である。基板３０４は、設置部３０５に着脱自在に設けられた着脱部材３０４Ａと、設置部３０５に形成されたツメ部３０４Ｂとによって設置部３０５に固定されている。基板３０４の固定構造については、後段で詳しく説明する。
設置部３０５は、灯具部３００が枠体２０１に取り付けられている状態において、下面に基板３０４が取り付けられ、上面の上側に点灯装置等が配置されている。設置部３０５には、基板３０４を覆うように透光性カバー３０３が取り付けられている。
【００２３】
支持構造２５０は、枠体２０１に固定されているものである。支持構造２５０は、取付部材３の一方を支持する第１の支持部２５１と、取付部材３の他方を支持する第２の支持部２５２とを含む。照明装置１００には、２つの灯具部３００が設けられている。そして、それぞれの灯具部３００には、２つの取付部材３が設けられている。すなわち、照明装置１００には、４つの取付部材３が設けられている。第１の支持部２５１及び第２の支持部２５２も、取付部材３の数に応じ、４つずつ設けられている。第１の支持部２５１及び第２の支持部２５２は、例えば、枠体２０１に締結される棒状部及び棒状部の先端に形成された頭部が形成されたネジ状の部材で構成することができる。
【００２４】
＜基板３０４の固定機構の詳細説明＞
図６Ａは、本実施の形態に係る照明装置１００の設置部３０５に設置された基板３０４等の説明図である。図６Ｂは、本実施の形態に係る照明装置１００の基板３０４を模式的に示した斜視図である。図７は、本実施の形態に係る照明装置１００の灯具部３００の端部の正面図である。図８は、着脱部材３０４Ａ、ツメ部３０４Ｂ、設置部３０５及び基板３０４の縦断面図である。なお、図７は、透光性カバー３０３を取り外した状態を示している。また、図８（ａ）は設置部３０５に基板３０４が配置され、着脱部材３０４Ａが締結されている状態を示している。図８（ｂ）は着脱部材３０４Ａ単体について示している。図８（ｃ）はツメ部３０４Ｂ単体について示している。図６〜図８を参照して基板３０４を設置部３０５に固定する機構について説明する。
【００２５】
基板３０４は、長尺状に形成され、矩形状をしているものである。基板３０４には、長手方向に並ぶように複数のＬＥＤが配置されている。基板３０４は、長辺に対応する第１の端部Ｅ１及び第２の端部Ｅ２と、短辺に対応する第３の端部Ｅ３及び第４の端部Ｅ４とを含む。第１の端部Ｅ１と第２の端部Ｅ２とは向かい合い、第１の端部Ｅ１及び第２の端部Ｅ２は、第３の端部Ｅ３及び第４の端部Ｅ４に対して直交するように配置されている。また、第３の端部Ｅ３と第４の端部Ｅ４とは向かい合う。
【００２６】
灯具部３００は、基板３０４の第１の端部Ｅ１に着脱自在に設けられ、第１の端部Ｅ１を設置部３０５に固定する着脱部材３０４Ａと、基板３０４の第２の端部Ｅ２に形成され、第２の端部Ｅ２を設置部３０５に固定するツメ部３０４Ｂとを含む。第１の端部Ｅ１及び第２の端部Ｅ２は、Ｙ１方向又はＹ２方向に平行である。第３の端部Ｅ３及び第４の端部Ｅ４は、Ｘ１方向又はＸ２方向に平行である。
【００２７】
本実施の形態において、ツメ部３０４Ｂは、等間隔に配置されている。また、着脱部材３０４Ａも、等間隔に配置されている。
また、ツメ部３０４Ｂの対向位置に着脱部材３０４Ａが配置されている。つまり、複数のツメ部３０４Ｂの配置位置と、複数の着脱部材３０４Ａの配置位置とは、Ｙ１方向又はＹ２方向にずれておらず、揃っている。
さらに、ツメ部３０４Ｂの形成数と、着脱部材３０４Ａの数は同数である。
【００２８】
着脱部材３０４Ａは、Ｙ１方向又はＹ２方向に並ぶように複数、設置部３０５に締結されている。着脱部材３０４Ａは、設置部３０５に締結される棒状部Ｓ１と、棒状部Ｓ１よりも径が大きい頭部Ｓ２とを含む。
棒状部Ｓ１は、周面にネジ切りがされており、山谷が形成されている。棒状部Ｓ１は、周面のうち基板３０４と対向する部分については、ネジ切りが形成されていなくてもよい。これにより、基板３０４が削れる等して破損等してしまうことを回避することができる。なお、設置部３０５には、棒状部Ｓ１が挿入される部分に開口部３０５Ｂが形成されている。
頭部Ｓ２は、着脱部材３０４Ａが設置部３０５に締結されている状態において、先端側の面が基板３０４の表面に対向するように設けられている。これにより、基板３０４が透光性カバー３０３の曲面部３０３Ａ側に移動しないように規制している。
【００２９】
第１の端部Ｅ１のうち各着脱部材３０４Ａが設けられる部分には、切欠Ｑ１０及び切欠Ｑ１１を含む切欠Ｑが形成されている。同様に、第２の端部Ｅ２のうち各ツメ部３０４Ｂが設けられる部分には、切欠Ｑ１０及び切欠Ｑ１１を含む切欠Ｑが形成されている。ここで、基板３０４に形成される切欠Ｑの位置は、第１の端部Ｅ１側と第２の端部Ｅ２側とで対称となっている。この切欠Ｑが形成されていることで、基板３０４と着脱部材３０４Ａとの接触面積を大きくするとともに、ツメ部３０４Ｂと基板３０４との接触面積を大きくすることができ、基板３０４をより確実に設置部３０５に固定することができる。また、切欠Ｑは、基板３０４の逃げとなっており、着脱部材３０４Ａを締結することで基板３０４を削ってしまい、基板３０４を破損等してしまうことを回避することができる。また、作業者が基板３０４をツメ部３０４Ｂに挿入しやすくなっている。
【００３０】
ここで、切欠Ｑ１０は、最も第３の端部Ｅ３寄りの切欠である。切欠Ｑ１１は、最も第４の端部Ｅ４寄りの切欠である。ここで、基板３０４は、切欠Ｑ１０から第３の端部Ｅ３までの長さと、切欠Ｑ１１から第４の端部Ｅ４までの長さとが異なる。ここで、基板３０４の端部には、例えば、ＬＥＤ用の電力を供給する端子が配置されている。この端子は、点灯装置に接続される。そして、この端子は、基板３０４の両側ではなく、片側に配置されている。すなわち、基板３０４には、設置部３０５に配置する際に向きが予め決まっている。上述のように、切欠Ｑ１０から第３の端部Ｅ３までの長さと、切欠Ｑ１１から第４の端部Ｅ４までの長さとが異なることで、作業者が誤った向きに基板３０４を取り付けようとすると、ツメ部３０４Ｂに基板３０４が嵌らないので、誤った向きであることに気が付くようになっている。
【００３１】
ツメ部３０４Ｂは、設置部３０５を構成する板材が切り起こされて形成されたものである。なお、設置部３０５が切り起こされることで、設置部３０５には、開口部３０５Ａが形成されている。図８（ａ）に示すように、この開口部３０５Ａ上には、基板３０４が配置されている。このため、灯具部３００は、開口部３０５Ａは塞がれており、灯具部３００内に埃等が侵入しにくい構造となっている。
具体的には、照明装置１００の天井の埃等が通気穴２０１Ｄ等を介して枠体２０１内に侵入する。開口部３０５Ａが塞がれているため、枠体２０１内に侵入した埃は、開口部３０５Ａから灯具部３００内に侵入しにくくなる。
なお、灯具部３００には、着脱自在の透光性カバー３０３が配置されているが、透光性カバー３０３の配置位置は灯具部３００の下面側である。このように、設置部３０５と透光性カバー３０３との間の隙間は非常に小さい上に、透光性カバー３０３の配置位置は灯具部３００の下面側であるため、埃は設置部３０５と透光性カバー３０３との間からは侵入しにくい。
【００３２】
ツメ部３０４Ｂは、設置部３０５の表面から立ち上がるように形成された切起部Ｔ１と、一端が切起部Ｔ１に接続された傾斜部Ｔ２とを含む。
切起部Ｔ１は、例えば、設置部３０５に直交するように形成されているものである。切起部Ｔ１は、一端（上端）が設置部３０５に接続され、他端が傾斜部Ｔ２に接続されている。切起部Ｔ１は、第２の端部Ｅ２に対向するように設けられている。
傾斜部Ｔ２は、設置部３０５の基板３０４の設置面との間の間隔が、切起部Ｔ１との接続側に向かうほど小さくなるよう形成されているものである。すなわち、傾斜部Ｔ２は、設置部３０５の設置面に対して傾斜するように形成されている。図８（ｃ）に示すように、設置部３０５の設置面と平行な方向と、傾斜部Ｔ２とが角度θをなしている。これにより、基板３０４の第２の端部Ｅ２をツメ部３０４Ｂに深く挿入していくと、第２の端部Ｅ２と設置部３０５の設置面とに押し付けられるように基板３０４が挟み込まれることになり、基板３０４がツメ部３０４Ｂから外れにくくなる。したがって、基板３０４をより確実に設置部３０５に固定することができるようになっている。
【００３３】
＜透光性カバー３０３の固定手段＞
図９は、本実施の形態に係る照明装置１００の透光性カバー３０３を取付部材３に固定する構成等についての説明図である。図９を参照して透光性カバー３０３を取付部材３に固定する手段等について説明する。
照明装置１００は、光の漏れ等を考慮して、平面部３０３Ｂの端部に透光性カバー３０３を固定する構成を設けず、平面部３０３Ｃの端部に透光性カバー３０３を固定する構成を設けている。
透光性カバー３０３の平面部３０３Ｃの端部に形成された固定部３０３Ｄには、固定部材３０３Ｅが挿入される開口部（図示省略）が形成されている。この開口部に連通する開口部が、取付部材３にも形成されている。固定部材３０３Ｅは、取付部材３の開口部に挿入されて、この開口部に締結される。
【００３４】
ここで、固定部材３０３Ｅは、取付部材３に締結される先端部３０３Ｅ１と、固定部３０３Ｄに挿入される胴部３０３Ｅ２と、胴部３０３Ｅ２よりも径が大きい頭部３０３Ｅ３とを含む。径の大きさは、頭部３０３Ｅ３、胴部３０３Ｅ２及び先端部３０３Ｅ１の順番に大きい。
胴部３０３Ｅ２の長さ寸法Ａは、固定部３０３Ｄの開口部のうち胴部３０３Ｅ２が挿入されている部分の深さ方向の寸法Ｂよりも大きい。この寸法関係を満たすことで、頭部３０３Ｅ３の前面が固定部３０３Ｄを常時押し付けてしまうことを回避することができる。したがって、固定部材３０３Ｅを締結しても、固定部材３０３Ｅの頭部３０３Ｅ３と透光性カバー３０３の固定部３０３Ｄとが強く接触してしまうことを回避することができる。これにより、透光性カバー３０３が破損等することを回避することができる。
また、固定部３０３Ｄの開口部のうち頭部３０３Ｅ３が挿入されている部分の径寸法Ｃは、頭部３０３Ｅ３の径寸法Ｄよりも大きい。この寸法関係を満たすことで、頭部３０３Ｅ３の周面が固定部３０３Ｄの開口部の内側に位置することになる。したがって、固定部材３０３Ｅを締結しても、固定部材３０３Ｅの頭部３０３Ｅ３と透光性カバー３０３の固定部３０３Ｄとが強く接触してしまうことを回避することができる。これにより、透光性カバー３０３が破損等することを回避することができる。
【００３５】
＜灯具部３００の動作説明＞
まず、前述の図５を参照して灯具部３００の初期位置について説明する。灯具部３００が器具本体２００に取り付けられている状態の初期位置では、第１の支持部２５１が第１の開放部３１Ａ上の中間部に位置している。なお、第１の支持部２５１は、第１の開放部３１Ａに形成された第１の凸部３１Ｃよりも内側に位置している。灯具部３００が器具本体２００に取り付けられている状態の初期位置では、第２の支持部２５２が第２の奥側部３２Ｂの一番奥側に位置している。なお、第２の支持部２５２は、第２の奥側部３２Ｂに形成された第２の凸部３２Ｃよりも上側に位置している。
【００３６】
図１０は、図９に示す灯具部３００の第２の被支持部３２の取付基準位置から、第２の支持部２５２を外した状態の説明図である。灯具部３００のうちの第２の支持部２５２側を上側に持ち上げると、第２の支持部２５２が第２の凸部３２Ｃを乗り越えて第２の奥側部３２Ｂから外れる。図１０は、第２の奥側部３２Ｂから第２の支持部２５２が外れ、第２の支持部２５２が第２の開放部３２Ａ上に位置している状態を示している。なお、第１の被支持部３１については、第１の支持部２５１に対して回転している。
【００３７】
図１１は、図１０に示す灯具部３００の第１の被支持部３１の取付基準位置から、第１の支持部２５１を外した状態の説明図である。図１０の状態から図１０の矢印ＡＲ１に示す方向に灯具部３００を移動させることで、図１１の状態に至る。なお、矢印ＡＲ１に示す方向は、図１０の状態において、第１の開放部３１Ａと平行な方向である。図１１に示すように、第２の支持部２５２は、第２の開放部３２Ａのうちの端に位置している。また、第１の支持部２５１は、第１の開放部３１Ａの一番奥側に位置している。
【００３８】
図１２は、図１１に示す灯具部３００の第２の被支持部３２から第２の支持部２５２を外した状態の説明図である。図１１の状態から図１１の矢印ＡＲ２に示す方向に灯具部３００を移動させることで、図１２の状態に至る。なお、矢印ＡＲ２は、図１１の状態において、第１の奥側部３１Ｂと平行な方向である。図１２に示すように、第２の支持部２５２は、第２の開放部３２Ａから外れる。また、第１の支持部２５１は、第１の奥側部３１Ｂのうちの一番奥側に位置している。
【００３９】
図１３は、図１２に示す灯具部３００の第１の被支持部３１から第１の支持部２５１を外す様子の説明図１である。図１２の状態から図１２の矢印ＡＲ３に示す方向に灯具部３００を移動させることで、図１３の状態に至る。なお、矢印ＡＲ３は、灯具部３００を第１の支持部２５１を軸として回転させる方向である。
【００４０】
図１４は、図１３に示す灯具部３００の第１の被支持部３１から第１の支持部２５１を外す様子の説明図２である。図１３の状態から図１３の矢印ＡＲ４に示す方向に灯具部３００を移動させることで、図１４の状態に至る。なお、矢印ＡＲ４は、図１３の状態において、第１の奥側部３１Ｂと平行な方向である。また、第１の支持部２５１は、第１の開放部３１Ａの第１の凸部３１Ｃに至る。図１４の状態からさらに、矢印ＡＲ４と同じ方向に灯具部３００を移動させることで、第１の支持部２５１は、第１の開放部３１Ａの第１の凸部３１Ｃを乗り越えて、第１の開放部３１Ａから外れる。
このようにして、第１の支持部２５１及び第２の支持部２５２から、第１の被支持部３１及び第２の被支持部３２を外して、器具本体２００から灯具部３００を取り外すことができる。なお、図５、及び図１０〜図１４では、器具本体２００から灯具部３００を取り外す動作について説明したが、取り付ける動作はこの逆の動作である。
【００４１】
＜本実施の形態に係る照明装置１００の有する効果＞
本実施の形態に係る照明装置１００は、一面に開口を有する枠体２０１と、枠体２０１の内側に位置するように枠体２０１に取り付けられる灯具部３００とを備えた照明装置１００において、灯具部３００は、基板３０４と、基板３０４が設置され、長辺に対応する第１の端部及び第２の端部を含む長尺状の基板と、基板が設置される設置面を含み、枠体２０１に取り付けられている設置部３０５と、設置面のうち基板の第１の端部Ｅ１の位置に着脱自在に設けられ、基板３０４の第１の端部Ｅ１を支持する着脱部材３０４Ａと、設置面から突出して形成され、基板３０４の第２の端部Ｅ２が挿入されて第２の端部Ｅ２を支持するツメ部３０４Ｂとを含む。
これにより、作業者は、基板３０４を固定する際に、まず、第２の端部Ｅ２をツメ部３０４Ｂに挿入して仮固定する。その後、作業者は、第１の端部Ｅ１を設置部３０５の設置面に付けながら、着脱部材３０４Ａを設置部３０５に締結する。このように、第１の端部Ｅ１及び第２の端部Ｅ２の両方を、着脱部材３０４Ａのようなネジ状部材で締結する構成を採用していないため、作業者が基板３０４を設置部３０５に固定する作業負担を低減することができる。
【００４２】
本実施の形態に係る照明装置１００のツメ部３０４Ｂは、一端が設置面に接続された切起部Ｔ１と、切起部Ｔ１の他端に接続され、設置面に対して傾斜する傾斜部Ｔ２とを含み、傾斜部Ｔ２は、設置面との間の間隔が、切起部Ｔ１との接続側に向かうほど小さくなるように構成されている。これにより、基板３０４の第２の端部Ｅ２をツメ部３０４Ｂに深く挿入していくと、第２の端部Ｅ２と設置部３０５の設置面とに押し付けられるように基板３０４が挟み込まれることになり、基板３０４がツメ部３０４Ｂから外れにくくなる。したがって、基板３０４をより確実に設置部３０５に固定することができるようになっている。
【００４３】
本実施の形態に係る照明装置１００は、設置面には、切起部Ｔ１の切り起こしにより形成された開口部３０５Ａを含み、基板３０４は、開口部３０５Ａを塞ぐように配置されている。このように、開口部３０５Ａが塞がれていることで、枠体２０１内に侵入した埃が、開口部３０５Ａから灯具部３００内に侵入することを回避することができる。
【００４４】
本実施の形態に係る照明装置１００の着脱部材３０４Ａは、基板３０４の第１の端部Ｅ１に平行な方向に等間隔に複数配置され、基板３０４は、短辺に対応する第３の端部Ｅ３及び第４の端部Ｅ４を含む矩形状であり、第１の端部Ｅ１のうち各着脱部材３０４Ａが設けられる部分に形成された複数の切欠Ｑ（第１の切欠）と、第２の端部Ｅ２のうち各ツメ部３０４Ｂが設けられる部分に形成された複数の切欠Ｑ（第２の切欠）を含み、各第１の切欠と各第２の切欠とは対向位置に配置され、最も第３の端部Ｅ３寄りの切欠Ｑ１０と第３の端部Ｅ３までの長さと、最も第４の端部Ｅ４寄りの切欠Ｑ１１と第４の端部Ｅ４までの長さとが異なる。これにより、作業者が基板３０４を取り付ける向きを誤ったことに容易に気付かせることができる。
【符号の説明】
【００４５】
１  取付部材、３１  第１の被支持部、３１Ａ  第１の開放部、３１Ｂ  第１の奥側部、３１Ｃ  第１の凸部、３２  第２の被支持部、３２Ａ  第２の開放部、３２Ｂ  第２の奥側部、３２Ｃ  第２の凸部、１００  照明装置、２００  器具本体、２０１  枠体、２０１Ａ  側面部、２０１Ｂ  枠本体、２０１Ｃ  天面部、２０１Ｄ  通気穴、２０１Ｅ  配線隠し、２０１Ｆ  壁部、２０１Ｇ  開口、２０２  フレーム、２１０  点灯装置、２２０  電源端子台、２３０  ルーバー、２５０  支持構造、２５１  第１の支持部、２５２  第２の支持部、３００  灯具部、３００Ｂ  反射板、３０２  反射板、３０２Ａ  反射部、３０２Ｂ  折曲部、３０２Ｃ  段部、３０３  透光性カバー、３０３Ａ  曲面部、３０３Ｂ  平面部、３０３Ｃ  平面部、３０３Ｄ  固定部、３０３Ｅ  固定部材、３０３Ｅ１  先端部、３０３Ｅ２  胴部、３０３Ｅ３  頭部、３０４  基板、３０４Ａ  着脱部材、３０４Ｂ  ツメ部、３０５  設置部、３０５Ａ  開口部、３０５Ｂ  開口部、Ｅ１  第１の端部、Ｅ２  第２の端部、Ｅ３  第３の端部、Ｅ４  第４の端部、Ｑ  切欠、Ｑ１０  切欠、Ｑ１１  切欠、Ｓ１  棒状部、Ｓ２  頭部、ＳＡ  内側面、Ｔ１  切起部、Ｔ２  傾斜部。
【図１】
0006602083.tif 000002
【図２】
0006602083.tif 000003
【図３】
0006602083.tif 000004
【図４】
0006602083.tif 000005
【図５】
0006602083.tif 000006
【図６Ａ】
0006602083.tif 000007
【図６Ｂ】
0006602083.tif 000008
【図７】
0006602083.tif 000009
【図８】
0006602083.tif 000010
【図９】
0006602083.tif 000011
【図１０】
0006602083.tif 000012
【図１１】
0006602083.tif 000013
【図１２】
0006602083.tif 000014
【図１３】
0006602083.tif 000015
【図１４】
0006602083.tif 000016